(57)【要約】【課題】フード本体の後で、顔面の良好な密着性を図るための紐の長さ調節および頭部の良好な密着性を図るための紐の長さ調節の両方を行うことができるフードを提供する。【解決手段】本発明のフード１は、顔面開口部１２、第１の紐通し部１４および第２の紐通し部１６を備えたフード本体２と、第１の紐通し部１４を通る第１の調節紐４と、第２の紐通し部１６をそれぞれ通り、フード本体２の後でフード本体２から露出する第２の調節紐６と、フード本体２から露出する第２の調節紐６の長さを調節する調節手段８と、第１の調節紐４を通し、第２の調節紐６の顔面開口部側の端に設けられた一対の貫通体１０とを含み、第１の調節紐４の両端はフード本体２に固定され、第１の紐通し部１４と第２の紐通し部１６とは連結し、貫通体１０を介して第１の調節紐４と一対の第２の調節紐６とは連結する。【選択図】図２
2014156673.tif 000002
【特許請求の範囲】
【請求項１】
前に設けられた顔面開口部、前記顔面開口部の下部から顔面開口部に沿って設けられた第１の紐通し部、および前記顔面開口部の両横近傍から後に設けられた一対の第２の紐通し部を備えたフード本体と、
前記第１の紐通し部を通る第１の調節紐と、
前記一対の第２の紐通し部をそれぞれ通り、前記フード本体の後で前記フード本体から露出する一対の第２の調節紐と、
前記フード本体から露出する前記一対の第２の調節紐の長さを調節する調節手段と、
前記第１の調節紐を通し、前記一対の第２の調節紐の前記顔面開口部側の端にそれぞれ設けられた一対の貫通体とを含み、
前記第１の調節紐の両端は前記フード本体に固定され、
前記第１の紐通し部と前記一対の第２の紐通し部とは連結し、
前記貫通体を介して前記第１の調節紐と前記一対の第２の調節紐とは連結するフード。
【請求項２】
前記第２の紐通しは、前記顔面開口部の両横近傍から、着用者のぼんの窪の位置に設けられ、
前記第２の調節紐は、着用者のぼんの窪の位置から露出する、請求項１に記載のフード。
【請求項３】
前記一対の第２の調節紐は連結している、請求項１または２に記載のフード。
【請求項４】
前記一対の第２の調節紐は１つの紐で構成される、請求項３に記載のフード。
【請求項５】
前記第１の紐通し部と前記一対の第２の紐通し部とは、着用者のこめかみの位置近傍で連結する、請求項１〜４のいずれか１項に記載のフード。
【請求項６】
前記第１の調節紐は平板状の紐である、請求項１〜５のいずれか１項に記載のフード。
【請求項７】
前記第１の調節紐はゴム紐である、請求項１〜６のいずれか１項に記載のフード。
【請求項８】
前記第１の調節紐において、前記貫通体を通る部分は弾性を有さない紐で構成される、請求項７に記載のフード。
【請求項９】
前記第２の調節紐はゴム紐である、請求項１〜８のいずれか１項に記載のフード。
【発明の詳細な説明】
【技術分野】
【０００１】
本発明は防寒衣、雨衣、防塵服などの外衣のフードに関する。
【背景技術】
【０００２】
フード本体の顔面開口部に沿って紐通しを形成し、紐通しに第一紐を挿通させてこれをフード本体のあご当て部で長さ調整可能とすると共に、フード本体の左右のこめかみ部に紐屈曲部を設け、フード本体の後頭部の左右上方に第二紐の端部を固定し、フード本体の両側面で第二紐を紐屈曲部を介して後頭部の下方へ略くの字に架け渡して、第二紐をフード本体の後頭部の下方で長さ調整可能としたことを特徴とする雨衣・防寒衣用フードが従来技術として知られている（たとえば、特許文献１）。この雨衣・防寒衣用フードによれば、雨衣・防寒衣用フードの顔面や頭部との良好な密着性を図って雨や風の浸入を確実に防止し、着用感を向上させることができる。
【先行技術文献】
【特許文献】
【０００３】
【特許文献１】特開２００２−４１２５号公報
【発明の概要】
【発明が解決しようとする課題】
【０００４】
特許文献１に記載の雨衣・防寒衣用フードでは、顔面の良好な密着性を図るための紐の長さ調節および頭部の良好な密着性を図るための紐の長さ調節をフード本体のあご当て部とフード本体の後とで行わなければならず面倒である場合がある。
【０００５】
本発明は、フード本体の後で、顔面の良好な密着性を図るための紐の長さ調節および頭部の良好な密着性を図るための紐の長さ調節の両方を可能とすることを目的とする。
【課題を解決するための手段】
【０００６】
本発明は、上記課題を解決するため、以下の構成を採用した。
すなわち、本発明のフードは、前に設けられた顔面開口部、顔面開口部の下部から顔面開口部に沿って設けられた第１の紐通し部、および顔面開口部の両横近傍から後に設けられた一対の第２の紐通し部を備えたフード本体と、第１の紐通し部を通る第１の調節紐と、一対の第２の紐通し部をそれぞれ通り、フード本体の後でフード本体から露出する一対の第２の調節紐と、フード本体から露出する一対の第２の調節紐の長さを調節する調節手段と、第１の調節紐を通し、一対の第２の調節紐の顔面開口部側の端にそれぞれ設けられた一対の貫通体とを含み、第１の調節紐の両端はフード本体に固定され、第１の紐通し部と一対の第２の紐通し部とは連結し、貫通体を介して第１の調節紐と一対の第２の調節紐とは連結する。
【発明の効果】
【０００７】
本発明によれば、フード本体の後で、顔面の良好な密着性を図るための紐の長さ調節および頭部の良好な密着性を図るための紐の長さ調節の両方を行うことができる。
【図面の簡単な説明】
【０００８】
【図１】図１は、本発明の一実施形態におけるフードの正面図である。
【図２】図２は、本発明の一実施形態におけるフードの側面図である。
【図３】図３は、第１の調節紐と第２の調節紐との連結部分を説明するための図である。
【図４】図４は、フード本体から第２の調節紐を図２の矢印Ａの方向に引っ張り、フードを絞ったときの本発明の一実施形態におけるフードの正面図である。
【発明を実施するための形態】
【０００９】
図１〜図３を参照して本発明の一実施形態におけるフード１を説明する。フード１は、スノーボートのウエアに装着可能なフードであり、着用者の頭部を雪の付着や寒さから保護する。図１はフード１の正面図である。図２はフード１の側面図である。図３は、後述の第１の調節紐４と第２の調節紐６との連結部分を説明するための図である。図１〜図３において、Ｘ方向が横方向であり、Ｙ方向が前後方向であり、Ｚ方向が上下方向である。
【００１０】
本発明の一実施形態におけるフード１は、フード本体２と第１の調節紐４と一対の第２の調節紐６とスピンドリルストッパ８とベルトループ１０とを含む。
【００１１】
フード本体２は着用者の頭部を覆う。フード本体２には、たとえば、ナイロン、ポリエステルなどの、比較的軽く、引っ張り強度および摩擦強度が高い合成繊維を用いた生地が用いられる。また、フード本体２の表面を撥水加工してもよい。
【００１２】
フード本体２は、顔面開口部１２、第１の紐通し部１４、および一対の第２の紐通し部１６を備える。
【００１３】
顔面開口部１２はフード本体２の前の部分に設けられる。顔面開口部１２は、フード本体２から着用者の顔面を露出させるための開口部である。顔面開口部１２からフード１の内部に雪や雨、風などが侵入しないようにするために、顔面開口部１２においてフード本体２と着用者の顔面との間に隙間ができないように、顔面開口部１２においてフード本体２は着用者の顔面に密着していることが好ましい。
【００１４】
第１の紐通し部１４は、第１の調節紐４を通すための紐通し部である。第１の紐通し部１４は、好ましくは顔面開口部１２の下部から顔面開口部１２に沿って設けられ、より好ましくは、着用者の顎の位置から顔面開口部１２に沿って設けられる。
【００１５】
第２の紐通し部１６は第２の調節紐６を通すための紐通し部である。一対の第２の紐通し部１６は、顔面開口部１２の両横近傍からフード本体２の後にそれぞれ設けられる。第１の紐通し部１４と一対の第２の紐通し部とは連結しており、第１の調節紐４の一部を第２の紐通し部１６の中に挿入させることができる。
【００１６】
一対の第２の紐通し部１６は、より好ましくは顔面開口部１２の両横近傍から、着用者の後頭部のぼんの窪の位置までそれぞれ設けられる。これにより、第２の調節紐６を図２の矢印Ａの方向に引っ張ることによってフード１を絞ったときのフード１の形状の見た目が良好になる。また、フード１を絞る操作が行いやすくなる。さらに、フード１を左右均等に絞ることができる。
【００１７】
第１の紐通し部１４と一対の第２の紐通し部１６とは、着用者のこめかみの位置近傍で連結することが好ましい。これにより、第２の調節紐６を図２の矢印Ａの方向に引っ張ると、顔面開口部１２における着用者のこめかみの位置近傍の部分が広がり、着用者の視界が良好になる。とくに、顔面開口部１２の面積を小さくしても、顔面開口部１２における着用者のこめかみの位置近傍の部分が広がっているので、顔面の露出を小さくしながら着用者の視界を確保できる。
【００１８】
第１の調節紐４は、第１の紐通し部１４を通る紐であり、顔面開口部１２の面積を調節するとともに、顔面開口部１２においてフード本体２を顔面に密着させるための紐である。第１の調節紐４の両端１８はフード本体２に固定されている。第１の紐通し部１４の中に存在する第１の調節紐４の長さを調節することによって、顔面開口部１２の面積を調節し、顔面開口部１２においてフード本体２を顔面に密着させることができる。第１の紐通し部１４の中に存在する第１の調節紐４の長さを調節する方法は後述する。
【００１９】
第１の調節紐４は平板状の紐であることが好ましい。これにより、第１の調節紐４の顔面への食い込みが弱くなり、顔面開口部１２の周りの部分のフード本体２の肌触りが良好になる。
【００２０】
第１の調節紐４はゴム紐であることが好ましい。これにより、顔面開口部１２においてフード本体２の着用者の顔面への密着性を良好にできる。第１の調節紐４には、たとえば、ブタジエンゴム、イソプレンゴム、スチレンゴム、シリコンゴムなどの合成ゴムおよび天然ゴムなどを使用することができる。
【００２１】
第２の調節紐６は、第２の紐通し部１６を通る紐であり、フード本体２を着用者の頭部に密着させるための紐である。第２の紐通し部１６の中に存在する第２の調節紐６の長さを調節することによって、フード本体２を頭部に密着させることができる。第２の調節紐６は、フード本体２の後でフード本体２から露出する。第２の紐通し部１６の中に存在する第２の調節紐６の長さを調節方法は後述する。
【００２２】
第２の調節紐６はゴム紐であることが好ましい。これにより、フード本体２の着用者の頭部への密着性を良好にできる。第２の調節紐６には、たとえば、ブタジエンゴム、イソプレンゴム、スチレンゴム、シリコンゴムなどの合成ゴムおよび天然ゴムを使用することができる。
【００２３】
スピンドリルストッパ８は、フード本体２の後でフード本体２から露出する一対の第２の調節紐６の長さを調節する。スピンドリルストッパ８に一対の第２の調節紐６を通すための穴が設けられている。スピンドリルストッパ８は、穴に通している一対の第２の調節紐６を移動することができる。また、スピンドリルストッパ８を穴に通している一対の第２の調節紐６に固定することもできる。
【００２４】
第２の調節紐６を図２の矢印Ａの方向に引っ張り、フード本体２から露出する第２の調節紐６の長さを大きくした後、第２の調節紐６の露出している部分のフード本体側の端２０（図２参照）までスピンドリルストッパ８を移動し、スピンドリルストッパ８を第２の調節紐６に固定する。これにより、フード１を絞った後も、第２の調節紐６の露出している部分が第２の紐通し部１６の中に引き込まれなくなり、フード本体２から露出する一対の第２の調節紐の長さは維持される。このようにして、フード本体２の後でフード本体２から露出する一対の第２の調節紐の長さを、スピンドリルストッパ８により調節することができる。
【００２５】
図３に示すように、ベルトループ１０は、第１の調節紐４を通す貫通部分２２を備え、第２の調節紐６の顔面開口部側の端２４に設けられている。ベルトループ１０を介して第１の調節紐４と一対の第２の調節紐６とは連結されている。
【００２６】
第１の調節紐４がゴム紐である場合、図３に示すように、第１の調節紐４のベルトループ１０を通る部分は、ゴムのような弾性を、有さない紐２６で構成されることが好ましい。これにより、第１の調節紐４におけるベルトループ１０を貫通している位置が移動しやすくなり、フード１を絞りやすくなる。
【００２７】
次に、図４を参照して、第２の調節紐６を図２の矢印Ａの方向に引っ張ったときの、フードの絞りを説明する。図４は、フード本体２から第２の調節紐６を図１の矢印Ａの方向に引っ張り、フード１を絞ったときのフード１の正面図である。図４において、Ｘ方向が横方向であり、Ｚ方向が上下方向である。
【００２８】
ベルトループ１０を介して第１の調節紐４と一対の第２の調節紐６とは連結されているので、第２の調節紐６を図２の矢印Ａの方向に引っ張ったとき、第１の調節紐４の一部２８は、第２の紐通し部１６の中に挿入される。これにより、第１の紐通し部１４の中に存在する第１の調節紐４の長さは小さくなり、顔面開口部１２の面積は小さくなり、顔面開口部１２においてフード本体２は顔面に密着する。したがって、第２の調節紐６を用いて、第１の紐通し部１４の中に存在する第１の調節紐４の長さを調節することができる。
【００２９】
また、第２の調節紐６を図２の矢印Ａの方向に引っ張ったとき、第２の紐通し部１６の中に存在する第２の調節紐６の長さは小さくなり、フード本体２は頭部に密着する。以上のようにして、第２の調節紐６を図２の矢印Ａの方向に引っ張ることにより、顔面および頭部の両方にフード本体２を密着させることができる。
【００３０】
一対の第２の調節紐６は連結していることが好ましい。これにより、第２の調節紐６を１箇所操作することによって、フード本体２の左右の両方と、顔面開口部１２周辺を絞ることができる。さらに、一対の第２の調節紐を１つの紐で構成するようにしてもよい。これにより、一対の第２の調節紐は最初から連結されていることになるので、一対の第２の調節紐６を連結する作業が不必要になる。
【００３１】
以上の本発明の一実施形態によるフード１は、次のような作用効果を奏する。
（１）前に設けられた顔面開口部１２、顔面開口部１２の下部から顔面開口部１２に沿って設けられた第１の紐通し部１４、および顔面開口部１２の両横近傍から後に設けられた一対の第２の紐通し部１６を備えたフード本体２と、第１の紐通し部１４を通る第１の調節紐４と、一対の第２の紐通し部１６をそれぞれ通り、フード本体２の後でフード本体２から露出する一対の第２の調節紐６と、フード本体２から露出する一対の第２の調節紐６の長さを調節するスピンドリルストッパ８と、第１の調節紐４を通し、一対の第２の調節紐１６の顔面開口部側の端２４にそれぞれ設けられた一対のベルトループ１０とを含み、第１の調節紐４の両端１８はフード本体２に固定され、第１の紐通し部１４と一対の第２の紐通し部１６とは連結し、ベルトループ１０を介して第１の調節紐４と一対の第２の調節紐１６とは連結するようにした。これにより、フード本体２の後で、顔面の良好な密着性を図るための第１の調節紐４の長さ調節および頭部の良好な密着性を図るための第２の紐通し部１６の長さ調節の両方を行うことができる。
【００３２】
（２）第２の紐通し１６は、顔面開口部１２の両横近傍から、着用者のぼんの窪の位置に設けられ、第２の調節紐６は、着用者のぼんの窪の位置から露出するようにした。これにより、フード１を絞ったときのフード１の形状の見た目が良好になる。
【００３３】
（３）一対の第２の調節紐６は連結しているようにした。これにより、第２の調節紐６を１箇所操作することによって、フード本体２の左右の両方と、顔面開口部１２周辺を絞ることができる。
【００３４】
（４）一対の第２の調節紐６は１つの紐で構成されるようにした。これにより、一対の第２の調節紐を連結するため作業が不必要になる。
【００３５】
（５）第１の紐通し部１４と一対の第２の紐通し部１６とは、着用者のこめかみの位置近傍で連結するようにした。これにより着用者の視界を良好にすることができる。
【００３６】
（６）第１の調節紐４は平板状の紐であるようにした。これにより、顔面開口部１２の周りの部分のフード本体２の肌触りが良好になる。
【００３７】
（７）第１の調節紐４はゴム紐であるようにした。これにより、顔面開口部１２においてフード本体２の着用者の顔面への密着性を良好にできる。
【００３８】
（８）第１の調節紐４において、ベルトループ１０を通る部分は弾性を有さない紐で構成されるようにした。これにより、第１の調節紐４におけるベルトループ１０を貫通している位置が移動しやすくなり、フード１を絞りやすくなる。
【００３９】
（９）第２の調節紐６はゴム紐であるようにした。これにより、フード本体２の着用者の頭部への密着性を良好にできる。
【００４０】
以上の本発明の一実施形態のフード１を次のように変形することができる。
（１）フード本体２の後でフード本体２から露出する一対の第２の調節紐６の長さを調節する調節手段は、フード１を絞った後も、第２の調節紐におけるフード本体２から露出している部分の長さを維持できれば、スピンドリルストッパ８に限定されない。たとえば、第２の調節紐６の顔面開口部側とは反対側の端に面ファスナを設けて、その端をフード本体に固定できるようにし、フード１を絞った後、第２の調節紐６の露出している部分が第２の紐通し部１６の中に引き込まれないようにしてもよい。
【００４１】
（２）第１の調節紐４を通す貫通部分を備える貫通体であれば、貫通体はベルトループ１０に限定されない。たとえば、リングを貫通体として用いてもよい。この場合、第２の調節紐の顔面開口部側の端をリングに結ぶとともに、リングに第１の調節紐を通す。
【００４２】
（３）本発明は、防寒衣、雨衣、防塵服などの外衣のフードであれば、スノーボートのウエアに装着可能なフードに限定されない。
【００４３】
実施形態と変形例の一つ、もしくは複数を組み合わせることは可能である。変形例同士をどのように組み合わせることも可能である。
【００４４】
以上の説明はあくまで一例であり、本発明は上記実施形態の構成になんら限定されるものではない。
【符号の説明】
【００４５】
１    フード
２    フード本体
４    第１の調節紐
６    第２の調節紐
８    スピンドリルストッパ
１０    ベルトループ
１２    顔面開口部
１４    第１の紐通し部
１６    第２の紐通し部
１８    第１の調節紐の端
２０    第２の調節紐の露出している部分のフード本体側の端
２２    貫通部分
２４    第２の調節紐の顔面開口部側の端
２６    弾性を有さない紐
２８    第１の調節紐の一部
【図１】
2014156673.tif 000003
【図２】
2014156673.tif 000004
【図３】
2014156673.tif 000005
【図４】
2014156673.tif 000006